(57)【特許請求の範囲】
【請求項１】
装置本体に装着された流体収容容器に収容されると共に紫外線の照射によって硬化される流体を、流体噴射ユニットから噴射する流体噴射装置であって、
上記流体収容容器内に収容される上記流体の流体レベルを検出する流体レベル検出手段と、
上記流体収容容器から上記流体噴射ユニットに上記流体を供給する供給部もしくは上記供給部近傍の上記流体収容容器に向かって紫外線を放射する光照射装置と、
上記流体レベル検出手段によって検出された検出信号に基づいて、上記光照射装置の作動を制御する制御部と、
を有し、
上記供給部もしくは上記供給部近傍の上記流体収容容器に、外部からの紫外線を透過させ上記供給部もしくは上記供給部近傍内の前記流体に到達するように透光部を設け、上記流体レベル検出手段が、上記流体収容容器内に収容された上記流体の流体レベルを流体エンドであることを検出すると、上記制御部の制御に基づき上記光照射装置が作動し、上記透光部に紫外線が照射されることを特徴とする流体噴射装置。
【請求項２】
前記流体収容容器に収容されている前記流体には、前記流体の残量に応じて推移すると共に前記流体よりも比重の小さな浮体が配置され、前記流体収容容器内の流体レベルが降下して、上記浮体が前記供給部を閉塞すると、前記流体レベル検出手段によって流体エンドであることが検出され、前記透光部に向かって前記光照射装置から紫外線が照射されることを特徴とする請求項１記載の流体噴射装置。
【請求項３】
流体噴射ユニットから紫外線の照射によって硬化される流体を噴射する流体噴射装置に用いられ、上記流体噴射ユニットに上記流体を供給する供給部を備え、該供給部もしくは供給部近傍に、外部からの紫外線を透過させ上記供給部もしくは上記供給部近傍内の前記流体に到達するように設けられた透光部を有する流体収容容器の封止方法であって、
上記流体収容容器に収容された上記流体が、流体エンドであることを検出するステップと、
上記流体エンドであると検出した場合に、上記透光部に向かって紫外線を照射し、上記供給部もしくは上記供給部近傍内の前記流体を硬化するステップと、
を有することを特徴とする流体収容容器の封止方法。
【請求項４】
前記流体収容容器に収容されている前記流体に、該流体の残量に応じて推移すると共に前記流体よりも比重の小さな浮体を配置し、該浮体の高さ方向の位置に基づいて、流体エンドであることを検出することを特徴とする請求項３記載の流体収容容器の封止方法。
【発明の詳細な説明】
【技術分野】
【０００１】
本発明は、流体噴射装置、流体収容容器および流体収容容器の封止方法に関する。
【背景技術】
【０００２】
一般に、流体噴射装置の代表例であるインクジェット式記録装置は、流体であるインクを貯留したインクカートリッジから、インク噴射ユニットにインクを供給するように構成されている。このインク噴射ユニットへのインクの供給は、インクカートリッジにインク供給口を設けると共に、インク噴射ユニットのインク供給流路に中空針を設け、インクカートリッジの装着により中空針をインク供給口に挿入することにより行われる。
【０００３】
また、インクカートリッジに貯留されたインクがインクエンドになり空の状態となると、その空になったインクカートリッジを廃棄して、新たなインクカートリッジに交換される。しかし、インクカートリッジを交換する際に、該インクカートリッジのインク供給口からインクが漏れるといった問題がある。
【０００４】
特許文献１には、インク供給口の内部に、インク供給針と嵌合可能な筒状パッキングと、インク供給針と呼応して移動する弁体を設け、該弁体を筒状パッキングに弾接させて、インク供給口を封止するインクカートリッジが開示されている。
【０００５】
【特許文献１】特開２００１−１１３７２３号公報（要約書）
【発明の開示】
【発明が解決しようとする課題】
【０００６】
しかしながら、特許文献１に開示されているインクカートリッジでは、弁体を筒状パッキングに圧接させて、インク供給口を封止しても、インク供給口に付着しているインクがインク供給口から滴下する可能性がある。このため、より確実にインク供給口からのインクの漏れを防止できるインクカートリッジが要望されている。
【０００７】
本発明は上記の事情にもとづきなされたもので、その目的とするところは、廃却時における流体の漏れを確実に防止することができる流体収容容器、流体噴射装置および流体収容容器の封止方法を提供しようとするものである。
【課題を解決するための手段】
【０００８】
本発明の参考例は、流体供給針を介して流体噴射ユニットに供給されると共に所定の波長の光の照射によって硬化される流体を、流体噴射ユニットから噴射する流体噴射装置に用いられ、流体噴射ユニットに対して着脱可能な流体収容容器であって、流体を収容する流体収容部と、流体収容部に収容されている流体を当該流体収容部から流体噴射ユニットに供給する供給部と、を有し、供給部もしくは供給部近傍の流体収容部に、外部からの光を透過させる透光部を設けたものである。
【０００９】
このように構成した場合には、外部から透光部に向かって光を照射すると、当該光が透光部を透過して、流路内に貯留されている流体に到達する。このため、光を透光部に照射させて供給部もしくは供給部近傍内の流体を固化させることが可能となり、固化された流体によって、供給部を確実に封止することができる。このため、流体収容容器を流体噴射ユニットから取り外しても、供給部から流体が漏れるのを防止できる。その結果、流体収容容器を廃却する際に、供給部から流体が漏れるのを防止できる。
【００１０】
また、本発明の参考例は、上述の発明に加えて更に、流体収容部に収容されている流体には、流体の残量に応じて推移すると共に流体よりも比重の小さな浮体が配置され、流体収容部内の流体が流体噴射ユニットに供給されて減少し、その流体レベルが流体エンドに近づくと、浮体が供給部を閉塞するものである。
【００１１】
このように構成した場合には、流体収納部内の流体が減少していくと、自動的に浮体が供給部を閉塞する。このため、流体収容容器の供給部を確実に封止することが可能となる。したがって、流体収容容器を廃却する際に、供給部から流体が漏れるのを確実に防止できる。
【００１２】
また、他の発明は、装置本体に装着された流体収容容器に収容されると共に紫外線の照射によって硬化される流体を、流体噴射ユニットから噴射する流体噴射装置であって、上記流体収容容器内に収容される上記流体の流体レベルを検出する流体レベル検出手段と、上記流体収容容器から上記流体噴射ユニットに上記流体を供給する供給部もしくは上記供給部近傍の上記流体収容容器に向かって紫外線を放射する光照射装置と、上記流体レベル検出手段によって検出された検出信号に基づいて、上記光照射装置の作動を制御する制御部と、を有し、上記供給部もしくは上記供給部近傍の上記流体収容容器に、外部からの紫外線を透過させ上記供給部もしくは上記供給部近傍内の前記流体に到達するように透光部を設け、上記流体レベル検出手段が、上記流体収容容器内に収容された上記流体の流体レベルを流体エンドであることを検出すると、上記制御部の制御に基づき上記光照射装置が作動し、上記透光部に紫外線が照射されるものである。
【００１３】
このように構成した場合には、流体エンドになると、光照射装置が作動し、透光部に光を照射することが可能となる。このため、供給部もしくは供給部近傍内の流体を固化させることが可能となり、固化された流体によって、供給部を確実に封止することができる。したがって、流体収容容器を流体噴射ユニットから取り外しても、供給部から流体が漏れるのを防止できる。その結果、流体収容容器を廃却する際に、供給部から流体が漏れるのを防止できる。
【００１４】
また、他の発明は、上述の発明に加えて更に、前記流体収容容器に収容されている前記流体には、前記流体の残量に応じて推移すると共に前記流体よりも比重の小さな浮体が配置され、前記流体収容容器内の流体レベルが降下して、上記浮体が前記供給部を閉塞すると、前記流体レベル検出手段によって流体エンドであることが検出され、前記透光部に向かって前記光照射装置から紫外線が照射されるものである。
【００１５】
このように構成した場合には、浮体が供給部を閉塞させると、流体レベル検出手段によって流体エンドであることが検出されるため、浮体によって供給部を閉塞した状態で、該流路に貯留している流体を固化させることができる。したがって、より確実に供給部を封止することが可能となる。このため、流体収容容器を記録ヘッドから取り外して廃棄する際に、供給部から流体の漏れをより確実に防止することができる。
【００１６】
また、他の発明は、流体噴射ユニットから紫外線の照射によって硬化される流体を噴射する流体噴射装置に用いられ、上記流体噴射ユニットに上記流体を供給する供給部を備え、該供給部もしくは供給部近傍に、外部からの紫外線を透過させ上記供給部もしくは上記供給部近傍内の前記流体に到達するように設けられた透光部を有する流体収容容器の封止方法であって、上記流体収容容器に収容された上記流体が、流体エンドであることを検出するステップと、上記流体エンドであると検出した場合に、上記透光部に向かって紫外線を照射し、上記供給部もしくは上記供給部近傍内の前記流体を硬化するステップと、を有するものである。
【００１７】
このため、流体エンドを検出し、その検出信号に基づいて、供給部もしくは供給部近傍に貯留している流体に光を照射させることが可能となる。このため、光の照射によって供給部もしくは供給部近傍内の流体を固化させることが可能となり、固化された流体によって、供給部を確実に封止することができる。したがって、流体収容容器を流体噴射ユニットから取り外しても、供給部から流体が漏れるのを防止できる。その結果、流体収容容器を廃却する際に、供給部から流体が漏れるのを防止できる。
【００１８】
また、他の発明は、上述の発明に加えて更に、流体収容容器に収容されている流体に、該流体の残量に応じて推移すると共に流体よりも比重の小さな浮体を配置し、該浮体の高さ方向の位置に基づいて、流体エンドであることを検出するものである。このため、浮体の位置を検知すことによって、流体エンドを検出することが可能となる。
【発明の効果】
【００１９】
本発明によると、廃却時における流体収容容器からの流体の漏れを確実に防止することができる。
【発明を実施するための最良の形態】
【００２０】
以下、本発明の一実施の形態に係る、流体噴出装置としてのインクジェット式記録装置１０について、図面を参照しながら説明する。なお、流体収容容器としてのインクカートリッジ３１の説明についてもインクジェット式記録装置１０と共に行うものとする。また、図２および図３中の矢示Ｘ１方向を左、矢示Ｘ２方向を右、このＸ１方向とＸ２方向と水平方向で直交する方向となる矢示Ｚ１方向を上および矢示Ｚ２方向を下とそれぞれ規定する。
【００２１】
＜インクジェット式記録装置の概略構成＞
最初に、インクジェット式記録装置１０の構成の概略について説明する。図１は、本発明の一実施の形態に係るインクジェット式記録装置１０の概略構成を示す図である。図２は、カートリッジ３１の概略構成を示す側断面図である。
【００２２】
図１に示すように、インクジェット式記録装置１０は、紙送り機構２０と、記録ヘッドユニット３０と、制御部５０と、を主に具備している。
【００２３】
紙送り機構２０は、紙送りモータ（ＰＦモータ）２１と、この紙送りモータ２１からの駆動力が伝達される給紙ローラ２３等を具備している。また、流体噴射ユニットとなる記録ヘッドユニット３０は、カートリッジ３１（流体収容容器に対応）と、カートリッジ３１を保持するカートリッジホルダ３２と、記録ヘッド３３と、を具備している。カートリッジホルダ３２は、例えば、不図示のシャーシに取り付けられていて、このカートリッジホルダ３２に着脱自在にカートリッジ３１が装着されている。そのため、本実施の形態のインクジェット式記録装置１０は、いわゆるオンキャリッジタイプの構成となっている。記録ヘッドユニット３０は、カートリッジ３１内に収容されるインクのインクレベルを検出する流体レベル検出手段となるインクレベル検出手段４５と、残インクに紫外線を照射して固化させる光照射装置となる紫外線ランプ４４とを備えている（図２参照）。
【００２４】
記録ヘッド３３には、インク（流体に対応）の噴射箇所としてのノズル（不図示）が記録用紙Ｐの搬送方向に列状に配置され、それぞれの色のインクに対応したノズル列を形成している。また、このノズル列には、ノズル毎に、電歪素子の１つであって応答性に優れたピエゾ素子（不図示）が配置されている。このピエゾ素子の作動によって、インク通路の端部にあるノズルからインク滴を噴出することが可能となっている。このピエゾ素子に印加する電圧の相違により、異なるサイズのインク滴が噴出可能となっている。例えば、本実施の形態では、大、中、小の３種類の異なる大きさのドットを形成することが可能となっている。
【００２５】
また、カートリッジホルダ３２には、複数の電気接点（不図示）が設けられている。また、カートリッジ３１にも、不図示の電気接点と対応するように複数の接続端子（不図示）が設けられている。カートリッジ３１をカートリッジホルダ３２に装着すると、不図示の電気接点と接続端子とが接触することにより、記録ヘッドユニット３０と制御部５０との間での信号の送受信が可能となる。すなわち、記録ヘッドユニット３０に備えられたインクレベル検出手段４５が検出した信号を制御部５０に送信できると共に、制御部５０からの信号を紫外線ランプ４４に送信できるようになる。
【００２６】
また、制御部５０は、不図示のＣＰＵ、メモリ（ＲＯＭ、ＲＡＭ、不揮発性メモリ等）、ＡＳＩＣ（Application Specific Integrated Circuit）、バス、タイマ、ランプ駆動回路、インターフェース等を有している。この制御部５０には、各種センサ（インクレベル検出手段４５を含む）からの信号が入力されると共に、これらのセンサからの信号に基づいて、制御部５０は、紙送りモータ２１等の各種モータや紫外線ランプ４４等の駆動を制御する。
【００２７】
また、上述のメモリの中のデータ、およびプログラムがＣＰＵで実行され、制御部５０の各構成が協働することにより、種々の機能的な構成が実現される。なお、本実施の形態では、メモリには、後述する紫外線ランプ４４の駆動を制御するためのプログラムおよびデータが記憶されていて、インクレベル検出手段４５の作動に際して、それらプログラムおよびデータを読み出すことにより、不図示のランプ駆動回路に向けて制御部５０から制御指令を発し、当該紫外線ランプ４４の作動を制御している。
【００２８】
また、制御部５０は、不図示のコネクタを介してコンピュータ７０と接続され、通信を行うことが可能である。それにより、インクジェット式記録装置１０がコンピュータ７０側から記録信号ＰＳを受け取ると、その記録信号ＰＳに基づいて、インクジェット式記録装置１０で記録のための処理が開始される。また、制御部５０を介して、コンピュータ７０がインクジェット式記録装置１０側から各カートリッジ３１のインクに関する情報を受け取ると、コンピュータ７０側で、カートリッジ３１のインク残量等が表示可能となる。
【００２９】
＜カートリッジの構成について＞
次に、カートリッジ３１の構成について、図２等を参照しつつ説明する。記録ヘッドユニット３０には、図１に示すように、ブラック（Ｋ）のインクを収納したカートリッジ３１Ａ、シアン（Ｃ）のインクを収納したカートリッジ３１Ｂ、ライトシアン（ＬＣ）のインクを収納したカートリッジ３１Ｃ、マゼンタ（Ｍ）のインクを収納したカートリッジ３１Ｄ、ライトマゼンタ（ＬＭ）のインクを収納したカートリッジ３１Ｅ、イエロー（Ｙ）のインクを収納したカートリッジ３１Ｆの６つのインクカートリッジ３１Ａ〜３１Ｆが着脱可能に搭載される。本実施の形態では、これらのインクとしては、紫外線によって硬化する紫外線硬化型のインクが好適に用いられる。
【００３０】
また、以下の説明においては、カートリッジ３１Ａ〜３１Ｆをまとめて表記する場合、カートリッジ３１とする。さらに、カートリッジ３１は、６色には限られず、４色、７色または８色等、何色分であっても良い。また、カートリッジ３１に充填されるインクは、染料系インクには限られず、顔料系インク等、他の種類のインクであっても良い。
【００３１】
図２に示すように、カートリッジ３１は、インク収容部３４と、インク供給部３５とを有する。インク収容部３４は、その内部にインクを収容するための収容室３６を有する。また、インク供給部３５は、インク収容部３４から下方に向かって円筒状に突出しており、この内側にインクを記録ヘッド３３に供給するためのインク供給口３７を有している。また、インク供給口３７は、収容室３６と連通している。また、インク供給部３５の上端部近傍には、全周に亘って、インク供給口３７の中心軸線Ｍ方向に向かって突出する内側凸部３８が設けられている。この内側凸部３８によって囲まれる部分は、インク供給口３７の直径より小径となるインク路３９となっている。この内側凸部３８の上端面３８ａは、インク収容部３４の底壁面３４ａと面一となっている。また、内側凸部３８のうちインク収容部３４の左壁３４ｂから右方に向かって突出する右内側凸部３８ｂおよび該左壁３４ｂのうち右内側凸部３８ｂと隣接する部分（以下、これらの部分をまとめて透光部Ａと表記する。）は、紫外線が透過可能な透光性を有する部材から形成されている。
【００３２】
さらに、内側凸部３８のうち右壁３５ａから中心軸線Ｍ方向に向かって突出する部分となる左内側凸部３８ｃの上方には、収容室３６を左右に仕切る仕切り４０が設けられている。仕切り４０は、インク収容部３４における図３中の紙面手前側の壁面（不図示）と紙面奥側の壁面３４ｃとの間に設けられている。また、この仕切り４０は、上下両側がインク収容部３４の上壁面３４ｄおよび底壁面３４ａのそれぞれと間隔を有するように設けられている。また、収容室３６における仕切り４０と左壁３４ｂとの間に設けられる左空間部４１には、浮体となるフロート４２が配置されている。このフロート４２は、インクよりも比重が軽く、収容室３６に収容されるインク上に浮いており、インクの液位の推移に伴って、左空間部４１内を上下に移動する。収容室３６内のインクが減り、該インクの液位が底壁面３４ａよりも下方の位置に推移すると、フロート４２がインク路３９の上部を閉塞する。
【００３３】
フロート４２の一部には永久磁石４２ａが取り付けられている。そして、ホール素子に代表される磁電変換素子４３ａ，４３ｂが、カートリッジホルダ３２の左壁３２ａに取り付けられている。この構成により、フロート４２に配置された永久磁石４２ａと、フロート４２の浮上位置にしたがった該永久磁石４２ａによる磁力線量に応じて、電気的出力が発生されるホール素子４３ａ，４３ｂと、により出力発生手段が構成されており、フロート４２を含めて収容室３６内のインクレベルを検出するインクレベル検出手段４５を構成している。このインクレベル検出手段４５により、インクエンドの位置を検出することができる。
【００３４】
なお、インクレベル検出手段としては、磁力線によって検出するものに限らず、インク収容部３４の上部にフロート４２との相対距離を検出するための距離検出部を設けて、距離検出部と、フロート４２との相対距離を検出することによって、インクエンドの位置を検出するような構成としても良い。また、近赤外光を発する投光部と、この近赤外光を受光する受光部とからなる光学センサを用いて、インクエンドの位置を検出するようにしても良い。この場合、投光部および受光部のそれぞれを、インク収容部３４を挟んでカートリッジホルダ３２に対向配置させる。そして、インクの消費により投光部から発した近赤外光が受光部に到達した場合、インクによって赤外線が遮られない程度まで液面が低下していることになるので、インクエンドを検出することができる。なお、インクが消費されず、光電センサの位置にインクが充填されている場合は、投光部から発した近赤外光は、受光部に到達しないため、光学センサによる位置検出はなされない。
【００３５】
また、インク供給口３７の下端には、不図示のフィルムが貼付され、かかるフィルムにより、未使用時にはインク供給口３７および収容室３６が外部から封止されている。一方、記録ヘッドユニット３０にはインク供給針３３ａが設けられている。該インク供給針３３ａはカートリッジホルダ３２に固定されている。このため、カートリッジ３１が、カートリッジホルダ３２に搭載され、カートリッジ３１が保持された状態となると、インク供給針３３ａがフィルムを突き破る。ここで、上述したように、カートリッジホルダ３２の左壁３２ａには、紫外線を放射する紫外線ランプ４４が備えられている。このため、紫外線ランプ４４から透光部Ａに向かって放射された紫外線が透光部Ａを透過して、インク路３９内に貯留しているインクに照射される。それによって、インク路３９内に貯留しているインクが固化する。
【００３６】
さらに、カートリッジ３１内のインクがインクエンドとなり空の状態になると、その空になったカートリッジ３１を廃棄して、新たなものと交換する必要がある。この際、カートリッジ３１からインクが漏れないようにインク供給口３７を封止する必要がある。
【００３７】
これより、カートリッジ３１内のインクが空になりインク供給口３７からインク供給針３３ａを引き抜いた際に、該インク供給口３７からインクが漏れないようにする必要がある。すなわち、インク供給口３７からインク供給針３３ａを引き抜いた状態で、インク供給口３７を封止する必要がある。本実施の形態では、フロート４２を用いてインク路３９の上方を塞ぐと共に、紫外線ランプ４４から放射される紫外線によって、インク路３９内に貯留しているインクを固化させる構成となっている。このように、インク路３９のインクを固化させることにより、インク供給口３７が封止され、カートリッジ３１からのインク漏れを防止することが可能となる。
【００３８】
当該インクの固化は、主に、インクレベル検出手段４５と、紫外線ランプ４４と、制御部５０とによって行われる。具体的には、インクレベル検出手段４５により、収容室３６のインク残量がインクエンドとなった旨の検出がなされると、その信号が制御部５０に送信される。すると、制御部５０は、インクレベル検出手段４５からの信号に基づいて、紫外線ランプ４４を作動させる旨の指令を出す。これにより、紫外線ランプ４４からインク路３９内のインクに紫外線が照射され、インク路３９内のインクが固化される。なお、制御部５０は、インクレベル検出手段４５から送信される信号に基づいて、初期にカートリッジ３１に充填されているインクの量を示すインク容量データ、並びに、インク残量を示すインク残量データ等も記憶している。
【００３９】
＜インク固化のための動作の詳細について＞
以上のような構成を有するインクジェット式記録装置１０に搭載されたカートリッジ３１のインクを固化するための動作について、以下に説明する。図３は、フロート４２によってインク路３９が閉塞され、該インク路３９に紫外線が照射されている状態のカートリッジ３１の側断面図である。
【００４０】
インクジェット式記録装置１０を使用して記録用紙Ｐに記録し続けると、収容室３６のインクが減少し、インクの液面が底壁面３４ａまで到達する。フロート４２は、インクの液面の推移に伴って下方に移動するため、インクの液面が底壁面３４ａに到達し、インクエンドとなると、フロート４２は内側凸部３８の上端面３８ａに接触してインク路３９を閉塞する（図３参照）。すると、インクレベル検出手段４５によって、収容室３６のインクがインクエンドになった旨が検出される。そして、その旨の信号が不図示の電気接点および不図示の接続端子を介して、制御部５０に送信される。
【００４１】
制御部５０が、インクレベル検出手段４５からインクエンドである旨の信号を受信すると、該制御部５０は、その信号に基づいて、記録ヘッドユニット３０に搭載されている複数のカートリッジ３１のうち、インクエンドとなったカートリッジ３１に対応する紫外線ランプ４４を作動させる旨の信号をランプ駆動回路に送信し、そのランプ駆動回路を介して紫外線ランプ４４が作動され、紫外線ランプ４４から紫外線が放射される。放射された紫外線は透過部Ａを透過して、インク路３９内に貯留しているインクに所定の時間だけ照射される。その結果、インク路３９内に貯留しているインクが紫外線照射によって固化され、インクがインク供給口３７から漏れなくなる。
【００４２】
＜本発明を適用した場合における効果＞
以上のように構成されたインクジェット式記録装置１０では、収容室３６に収容されているインクがインクエンドとなると、インクレベル検出手段４５からの検出信号に基づいて、制御部５０が紫外線ランプ４４を作動させる。したがって、収容室３６内のインクがインクエンドになると、自動的に紫外線ランプ４４が作動し、インク路３９内に貯留しているインクに紫外線を照射させることが可能となる。したがって、インクが空になった状態で、インク路３９内に貯留しているインクを固化させることが可能となる。その結果、カートリッジ３１を廃棄して新しいカートリッジと交換する際に、インク供給口３７からのインク漏れを確実に防止することが可能となる。
【００４３】
また、インクジェット式記録装置１０では、収容室３６内に配置されているフロート４２がインク路３９の上端を塞ぐと、インクレベル検出手段４５によってインクエンドである旨が検出され、紫外線ランプ４４によってインク路３９に紫外線が照射される。このように、フロート４２がインク路３９の上端を塞いだ状態で、インク路３９内に貯留しているインクが固化されるため、インク供給口３７を確実に封止することが可能となる。
【００４４】
また、このように、フロート４２がインク路３９の上端を塞いだ状態で、インク路３９内に貯留しているインクを固化させると、フロート４２と内側凸部３８が固着し、インク供給口３７が気密に密閉される。したがって、カートリッジ３１からのインクの漏れをより効果的に防止することが可能となる。
【００４５】
また、カートリッジ３１では、透過部Ａは透光性を有する部材から構成されているため、紫外線ランプ４４からの紫外線を確実にインク路３９に進入させることができる。そのため、インク路３９内に貯留しているインクを確実に固化させることが可能となる。
【００４６】
また、カートリッジ３１では、収容室３６内に仕切り４０を設け、フロート４２が上下に移動するための左空間部４１が設けられている。したがって、フロート４２を確実に内側凸部３８の上部に配置させることができる。したがって、インク路３９をフロート４２によって確実に閉塞させることが可能となる。
【００４７】
＜本発明の変形例＞
以上、本発明の一実施の形態について説明したが、本発明は上述の形態に限定されることなく、種々変形した形態にて実施可能である。
【００４８】
上述の実施の形態では、フロート４２を配置して、インク路３９を閉塞させる構成を採用しているが、フロート４２を配置しないようにしても良い。この場合、透明な窓の側方に設けられたＣＣＤラインセンサによって液面を読取るようにしても良い。なお、この場合、フロート４２が配置されないため、フロート４２の動作を規制する仕切りを設けないようにしても良い。
【００４９】
また、上述の実施の形態では、内側凸部３８は、インク供給部３５の内部に全周に亘って設けられている。しかしながら、内側凸部３８は、全周に設けることに限定されず、例えば、周方向に所定の間隔を隔てて突起状に設けるようにしても良い。また、内側凸部３８はインク供給部３５の内部に設けられているが、例えば、インク供給部３５の内部ではなく、インク供給部３５から収容室３６側に突出するように、収容室３６内においてインク供給口３７と連通するように設けるようにしても良い。
【００５０】
また、上述の実施の形態では、右内側凸部３８ｂ近傍を透過部Ａとして、紫外線が透過可能な構成としているが、例えば、左内側凸部３８ｃ近傍を透過部Ａとし、その側方に紫外線ランプ４４を配置して、左内側凸部３８ｃ側から紫外線を照射させてインク路３９内のインクを固化させるようにしても良い。また、紫外線硬化型インクの代わりに、例えば、電子線硬化型インクを用い、電子線を照射させて、インクを固化させるようにしても良い。
【００５１】
また、上述の実施の形態では、流体吐出装置として、インクジェット式記録装置１０に関して説明している。しかしながら、流体吐出装置は、インクジェット式記録装置１０には限られるものではなく、例えばコピー機能を備える複写機に本発明を適用しても良い。また、その他の流体吐出装置としては、液晶ディスプレイ、ＥＬディスプレイ等の製造に用いられる、流体を噴射する装置等がある。また、流体は、インク以外の流体であっても良く、たとえば液晶ディスプレイ、ＥＬディスプレイに用いられる流体を噴射する装置においては、色材、電極材が流体となる。また、流体は、脱気インクには限られず、気泡が所定だけ溶解しているインク（飽和しているインク等）を用いても良い。なお、飽和しているインクを用いる場合、加圧または冷却等の別途の作業が必要となる。
【図面の簡単な説明】
【００５２】
【図１】本発明の一実施の形態に係るインクジェット式記録装置の概略構成を示す図である。
【図２】図１中のカートリッジの概略構成を示す側断面図である。
【図３】フロートによってインク路が閉塞され、インク路に向かって紫外線が照射されている状態のカートリッジの側断面図である。
【符号の説明】
【００５３】
１０…インクジェット式記録装置（流体噴射装置）、３０…記録ヘッドユニット（流体噴射ユニット）、３１…カートリッジ（流体収容容器）、３３…記録ヘッド、３３ａ…インク供給針（流体供給針）、３４…インク収容部（流体収容部）、３５…インク供給部（供給部）、３９…インク路、４２…フロート（浮体）、４４…紫外線ランプ（光照射装置）、４５…インクレベル検出手段（流体レベル検出手段）、５０…制御部、Ａ…透光部
【図１】
0005071153.tif 000002
【図２】
0005071153.tif 000003
【図３】
0005071153.tif 000004